(57)【要約】【課題】画像情報に文字情報および音声情報が対応付けられたコンテンツにおける文字情報の使用言語と音声情報の使用言語との組み合わせの選択肢を増やすことができ、ひいては、娯楽性および言語学習などの有用性を向上させることができるコンテンツ閲覧装置およびコンテンツ提供システムを提供すること。【解決手段】同一の画像情報に対応する文字情報および音声情報を互いに異なる使用言語で表示および音声出力させるための第１の制御を行うことが可能とされた制御手段１８を備えたこと。【選択図】図１
2014007561.tif 000002
【特許請求の範囲】
【請求項１】
画像情報に文字情報および音声情報が対応付けられたコンテンツをサーバから取得するコンテンツ取得手段と、
このコンテンツ取得手段によって取得された前記コンテンツにおける前記文字情報を、この文字情報に対応する前記画像情報とともに選択された使用言語で表示する表示手段と、
前記コンテンツ取得手段によって取得された前記コンテンツにおける前記音声情報を、この音声情報に対応する前記画像情報および前記文字情報の表示とともに選択された使用言語で音声出力する音声出力手段と
を備えたコンテンツ閲覧装置であって、
同一の前記画像情報に対応する前記文字情報および前記音声情報を互いに異なる使用言語で表示および音声出力させるための第１の制御を行うことが可能とされた制御手段を備えたこと
を特徴とするコンテンツ閲覧装置。
【請求項２】
前記文字情報の使用言語と前記音声情報の使用言語との組み合わせとして、同言語同士の組み合わせおよび異言語同士の組み合わせを記憶する記憶手段と、
この記憶手段によって記憶された前記組み合わせを、前記コンテンツの表示画面上に選択可能に表示する組み合わせ表示手段と
を備え、
前記制御手段は、
前記組み合わせ表示手段によって表示された前記組み合わせにおける選択された組み合わせに対応した使用言語での前記文字情報の表示および前記音声情報の音声出力のための第２の制御を行い、
前記第２の制御の一態様が、前記第１の制御であること
を特徴とする請求項１に記載のコンテンツ閲覧装置。
【請求項３】
前記文字情報の使用言語と前記音声情報の使用言語との組み合わせを、前記文字情報の使用言語の複数の候補および前記音声情報の使用言語の複数の候補の中からユーザ操作によってそれぞれ独立して選択された選択結果に基づいて設定する組み合わせ設定手段を備え、
前記制御手段は、
前記組み合わせ設定手段によって設定された前記組み合わせに対応した使用言語での前記文字情報の表示および前記音声情報の音声出力のための第３の制御を行い、
前記第３の制御の一態様が、前記第１の制御であること
を特徴とする請求項１に記載のコンテンツ閲覧装置。
【請求項４】
前記コンテンツにおける改変が許可されている音声情報に対して、ユーザが録音した音声情報および／または予め登録された所定の音声情報への置換および／または合成による改変を行うコンテンツ改変手段を備え、
前記制御手段は、前記コンテンツ改変手段による改変後の音声情報の音声出力が行われるように前記音声出力手段を制御すること
を特徴とする請求項１乃至請求項３のいずれか１項に記載のコンテンツ閲覧装置。
【請求項５】
前記コンテンツにおける改変が許可されている文字情報に対して、ユーザが入力した文字情報への置換による改変を行うコンテンツ改変手段を備え、
前記制御手段は、前記コンテンツ改変手段による改変後の文字情報の表示が行われるように前記表示手段を制御すること
を特徴とする請求項１乃至請求項３のいずれか１項に記載のコンテンツ閲覧装置。
【請求項６】
前記コンテンツにおける改変が許可されている画像情報に対して、ユーザの描画情報および／または予め登録された画像情報への置換および／または合成による改変を行うコンテンツ改変手段を備え、
前記制御手段は、前記コンテンツ改変手段による改変後の画像情報の表示が行われるように前記表示手段を制御すること
を特徴とする請求項１乃至請求項３のいずれか１項に記載のコンテンツ閲覧装置。
【請求項７】
ユーザ操作による前記コンテンツの改変を行うコンテンツ改変手段と、
このコンテンツ改変手段による改変後の前記コンテンツを前記サーバに提供する改変コンテンツ提供手段と
を備え、
前記コンテンツ取得手段は、他のユーザによって前記サーバに提供された改変後のコンテンツを前記サーバから取得可能とされていること
を特徴とする請求項１乃至請求項３のいずれか１項に記載のコンテンツ閲覧装置。
【請求項８】
前記コンテンツには、原作改変の許可の有無を示す原作改変許可情報が、前記画像情報、前記文字情報および前記音声情報ごとに付与されており、
前記コンテンツ改変手段は、前記原作改変許可情報に基づいた前記コンテンツの改変を行うこと
を特徴とする請求項７に記載のコンテンツ閲覧装置。
【請求項９】
前記コンテンツは、音声付きの漫画情報を含むこと
を特徴とする請求項１乃至請求項３のいずれか１項に記載のコンテンツ閲覧装置。
【請求項１０】
前記漫画情報は、漫画に登場するキャラクタを識別する識別情報が付加されたものであり、
前記識別情報に基づいて、前記キャラクタごとに前記使用言語の組み合わせが独立して割り当てられること
を特徴とする請求項９に記載のコンテンツ閲覧装置。
【請求項１１】
コンテンツ閲覧装置本体の機能は、ユーザ端末がサーバから取得したアプリケーションソフトを前記ユーザ端末が実行することによって実現されること
を特徴とする請求項１乃至請求項３のいずれか１項に記載のコンテンツ閲覧装置。
【請求項１２】
前記第１の制御は、前記画像情報に対応付けられた複数の使用言語ごとの文字情報および音声情報のうちの互いに異なる使用言語の文字情報および音声情報を表示および音声出力するための制御または前記画像情報に対応付けられた所定の使用言語の文字情報および音声情報の少なくとも一方を互いに異なる使用言語の情報となるように自動翻訳した上で表示および音声出力するための制御であること
を特徴とする請求項１乃至請求項３のいずれか１項に記載のコンテンツ閲覧装置。
【請求項１３】
請求項１〜１２のいずれか１項に記載のコンテンツ閲覧装置と、
請求項１に記載のサーバと
を備えたことを特徴とするコンテンツ提供システム。
【発明の詳細な説明】
【技術分野】
【０００１】
本発明は、コンテンツ閲覧装置およびコンテンツ提供システムに係り、特に、デジタルコンテンツの閲覧に好適なコンテンツ閲覧装置およびコンテンツ提供システムに関する。
【背景技術】
【０００２】
近年、印刷出版物と異なる新たな形態の出版物として、デジタル化された画像情報および文字情報を含むデジタルコンテンツが普及するようになった。
【０００３】
デジタルコンテンツには、漫画、雑誌、小説、辞書、事典、図鑑、写真集、詩集、画集、技術書、地図、マニュアル、パンフレット等のあらゆる書籍を電子化したものや、楽曲・音声・効果音などのあらゆる音、アプリなどのあらゆるソフトウェアなどがある。電子漫画の台詞等の文字情報を音声読み上げするための音声情報を含んだものも、このようなデジタルコンテンツの一例である。
【０００４】
ところで、印刷出版物においては、日本国内でオリジナルに制作されたものを外国で市場に提供しようとする場合には、外国企業に出版権を設定して翻訳を一任することが多いため、欄外に別言語の翻訳を載せることはあっても、複数言語での閲覧を楽しめるような態様で掲載することまでは行われていなかった。
【０００５】
これに対して、デジタルコンテンツにおいては、単に紙媒体をデジタル化しただけの当初の形態から脱却してデジタル独自の利便性・ユーザビリティが追求されるようになってきており、これまでにも様々な提案がなされている。
【０００６】
そして、このような提案の１つに、使用言語の選択があり、例えば、特許文献１においては、コンテンツの文字データの言語を指定可能とされたコンテンツ配信システムが提案されている。
【０００７】
また、特許文献２においては、第一言語（日本語）と第二言語（英語）の対訳を同時表示した漫画が提案されている。
【０００８】
これら特許文献１および特許文献２に記載の技術によれば、言語の選択切換によって、複数言語での閲覧を選択的に楽しむことができたり、あるいは、複数言語での同時閲覧を楽しむことができる。
【先行技術文献】
【特許文献】
【０００９】
【特許文献１】特開２００６−２６８６３７号公報
【特許文献２】実用新案登録第３１２６６９１号
【発明の概要】
【発明が解決しようとする課題】
【００１０】
しかるに、従来は、デジタルコンテンツにおける文字情報の使用言語と音声情報の使用言語との組み合わせとして、互いに同一言語の組み合わせを選択することはできたが、互いに異言語の組み合わせを選択することはできなかった。
【００１１】
そこで、本発明は、このような点に鑑みなされたものであり、画像情報に文字情報および音声情報が対応付けられたコンテンツにおける文字情報の使用言語と音声情報の使用言語との組み合わせの選択肢を増やすことができ、ひいては、娯楽性および言語学習などの有用性を向上させることができるコンテンツ閲覧装置およびコンテンツ提供システムを提供することを目的とするものである。
【課題を解決するための手段】
【００１２】
前述した目的を達成するため、本発明に係るコンテンツ閲覧装置およびコンテンツ提供システムは、画像情報に文字情報および音声情報が対応付けられたコンテンツをサーバから取得するコンテンツ取得手段と、このコンテンツ取得手段によって取得された前記コンテンツにおける前記文字情報を、この文字情報に対応する前記画像情報とともに選択された使用言語で表示する表示手段と、前記コンテンツ取得手段によって取得された前記コンテンツにおける前記音声情報を、この音声情報に対応する前記画像情報および前記文字情報の表示とともに選択された使用言語で音声出力する音声出力手段とを備えたコンテンツ閲覧装置であって、同一の前記画像情報に対応する前記文字情報および前記音声情報を互いに異なる使用言語で表示および音声出力させるための第１の制御を行うことが可能とされた制御手段を備えたことを特徴としている。なお、文字情報は、画像情報に含まれたものであってもよい（以下、同様）。
【００１３】
そして、このような本発明によれば、文字情報の使用言語と音声情報の使用言語とが異なるコンテンツを閲覧することができるので、文字情報の使用言語と音声情報の使用言語との組み合わせの選択肢を増やすことができ、ひいては、娯楽性および言語学習などの有用性を向上させることができる。
【００１４】
また、前記文字情報の使用言語と前記音声情報の使用言語との組み合わせとして、同言語同士の組み合わせおよび異言語同士の組み合わせを記憶する記憶手段と、この記憶手段によって記憶された前記組み合わせを、前記コンテンツの表示画面上に選択可能に表示する組み合わせ表示手段とを備え、前記制御手段は、前記組み合わせ表示手段によって表示された前記組み合わせにおける選択された組み合わせに対応した使用言語での前記文字情報の表示および前記音声情報の音声出力のための第２の制御を行い、前記第２の制御の一態様が、前記第１の制御であってもよい。
【００１５】
そして、このように構成すれば、文字情報の使用言語と音声情報の使用言語との異言語同士の組み合わせを、この組み合わせを示す表示情報から選択することによって、文字情報の使用言語と音声情報の使用言語とが異なるコンテンツを簡便かつ迅速に閲覧することができる。
【００１６】
さらに、前記文字情報の使用言語と前記音声情報の使用言語との組み合わせを、前記文字情報の使用言語の複数の候補および前記音声情報の使用言語の複数の候補の中からユーザ操作によってそれぞれ独立して選択された選択結果に基づいて設定する組み合わせ設定手段を備え、前記制御手段は、前記組み合わせ設定手段によって設定された前記組み合わせに対応した使用言語での前記文字情報の表示および前記音声情報の音声出力のための第３の制御を行い、前記第３の制御の一態様が、前記第１の制御であってもよい。
【００１７】
そして、このように構成すれば、文字情報の使用言語と音声情報の使用言語との異言語同士の組み合わせを、文字情報の使用言語の候補の中および音声情報の使用言語の候補の中から独立して選択することによって、文字情報の使用言語と音声情報の使用言語とが異なるコンテンツを簡便に閲覧することができる。
【００１８】
さらにまた、前記コンテンツにおける改変が許可されている音声情報に対して、ユーザが録音した音声情報および／または予め登録された所定の音声情報への置換および／または合成による改変を行うコンテンツ改変手段を備え、前記制御手段は、前記コンテンツ改変手段による改変後の音声情報の音声出力が行われるように前記音声出力手段を制御するようにしてもよい。また、前記コンテンツにおける改変が許可されている文字情報に対して、ユーザが入力した文字情報への置換による改変を行うコンテンツ改変手段を備え、前記制御手段は、前記コンテンツ改変手段による改変後の文字情報の表示が行われるように前記表示手段を制御するようにしてもよい。さらに、前記コンテンツにおける改変が許可されている画像情報に対して、ユーザの描画情報および／または予め登録された画像情報への置換および／または合成による改変を行うコンテンツ改変手段を備え、前記制御手段は、前記コンテンツ改変手段による改変後の画像情報の表示が行われるように前記表示手段を制御するようにしてもよい。
【００１９】
そして、このように構成すれば、音声情報、文字情報、画像情報を改変することができるので、ユーザに、閲覧者としての楽しみ方だけでなく、恰も制作者のような楽しみ方も提供することができる。
【００２０】
また、ユーザ操作による前記コンテンツの改変を行うコンテンツ改変手段と、このコンテンツ改変手段による改変後の前記コンテンツを前記サーバに提供する改変コンテンツ提供手段とを備え、前記コンテンツ取得手段は、他のユーザによって前記サーバに提供された改変後のコンテンツを前記サーバから取得可能とされていてもよい。
【００２１】
そして、このように構成すれば、改変後のコンテンツを他のユーザとの間で交換するといった新たな楽しみ方を提供することができる。
【００２２】
さらに、前記コンテンツには、原作改変の許可の有無を示す原作改変許可情報が、前記画像情報、前記文字情報および前記音声情報ごとに付与されており、前記コンテンツ改変手段は、前記原作改変許可情報に基づいた前記コンテンツの改変を行うようにしてもよい。
【００２３】
そして、このように構成すれば、原作改変許可情報に基づいて、コンテンツの原作者の著作権を侵害しないような適法な改変を行うことができる。
【００２４】
さらにまた、前記コンテンツは、音声付きの漫画情報を含んでもよい。この場合に、前記漫画情報は、漫画に登場するキャラクタを識別する識別情報が付加されたものであり、前記識別情報に基づいて、前記キャラクタごとに前記使用言語の組み合わせが独立して割り当てられるようにしてもよい。
【００２５】
そして、このような構成によれば、文字情報の使用言語と音声情報の使用言語とが異なる音声付きの電子漫画を閲覧することができ、また、キャラクタごとに使用言語の組み合わせを独立して割り当てることによって、電子漫画の楽しみ方を更に増やすことができる。
【００２６】
また、コンテンツ閲覧装置本体の機能は、ユーザ端末がサーバから取得したアプリケーションソフトを前記ユーザ端末が実行することによって実現されるようにしてもよい。
【００２７】
そして、このような構成によれば、サーバとの通信機能を備えた様々な端末に本発明を適用することができるので、汎用性を向上させることができる。
【００２８】
さらに、前記第１の制御は、前記画像情報に対応付けられた複数の使用言語ごとの文字情報および音声情報のうちの互いに異なる使用言語の文字情報および音声情報を表示および音声出力するための制御または前記画像情報に対応付けられた所定の使用言語の文字情報および音声情報の少なくとも一方を互いに異なる使用言語の情報となるように自動翻訳した上で表示および音声出力するための制御であってもよい。
【００２９】
そして、このような構成によれば、複数の使用言語ごとの文字情報および音声情報をコンテンツとして保有する場合および自動翻訳によって複数の使用言語を確保する場合のいずれにおいても、文字情報の使用言語と音声情報の使用言語とが異なるコンテンツを閲覧することができる。
【発明の効果】
【００３０】
本発明によれば、画像情報に文字情報および音声情報が対応付けられたコンテンツにおける文字情報の使用言語と音声情報の使用言語との組み合わせの選択肢を増やすことができ、ひいては、娯楽性および言語学習などの有用性を向上させることができる。
【００３１】
例えば、日本の漫画、アニメ、声優、アニメソング、ゲームは、長年、日本のみならず世界中のファンを魅了し続けており、絵やストーリーの評価だけでなく、声優の演技力・歌手の歌唱力、日本語の美しさも高く評価されている。そして、日本の伝統的な文化や最新のポップカルチャーも人気が高く、海外では、おにぎり、こたつ、セーラー服等、漫画によりブームになったものが数多くある。また、最近の傾向として日本文化好きが高じて、日本語を学びたいという欲求が顕著になってきている。さらに、海外の若者は、漫画家やアニメ声優になりたいという欲求も多くなっており、日本の専門学校へ留学する人も増加している。しかし、海外の人は、たとえスキルがあっても、漫画家やアニメ声優になることは、ほぼ不可能である。
【００３２】
以上の観点を考慮して、本発明を顧みると、本発明によれば、あらゆる国の人に楽しんでもらえる日本の漫画等のデジタルコンテンツを音情報付きで、その国の言語で提供でき、しかも日本語と対比させて、日本語を学ぶことができ、ユーザ自身が声優・歌手の楽しみを味わうと共に声優・歌手のスキルアップをすることもできる。また、ユーザは、漫画を描いて、他のユーザに有料で提供でき漫画家として活動することもでき、声優や歌手として音声や楽曲を入れて声優や歌手活動することもできる。
【００３３】
つまり、本発明によれば、以上のように、日本の漫画等の音声入りデジタルコンテンツを世界中のファンに楽しんでもらえると同時に、世界中の誰もに、漫画家、声優、歌手の道を開くことができる。
【図面の簡単な説明】
【００３４】
【図１】本発明に係るコンテンツ閲覧装置およびコンテンツ提供システムの第１実施形態において、コンテンツ配信システムの概要を示す模式図
【図２】サーバにおけるコンテンツの管理状態を示す概念図
【図３】コンテンツ閲覧装置の第１実施形態を示すブロック図
【図４】第１実施形態において、文字情報の使用言語と音声情報の使用言語との組み合わせの表示例を示す画面構成図
【図５】図４の変形例を示す画面構成図
【図６】第１実施形態において、音声編集モード画面を示す模式図
【図７】第１実施形態において、音声情報の改変処理を示す模式波形図
【図８】第１実施形態において、文字情報の改変作業時の画面遷移例を示す模式図
【図９】第１実施形態において、画像情報の改変作業時の画面遷移例を示す模式図
【図１０】第１実施形態において、原作改変許可情報の一例を示す模式図
【図１１】第１実施形態において、コンテンツの閲覧画面の一例を示す模式図
【図１２】本発明に係るコンテンツ閲覧装置およびコンテンツ提供システムの第２実施形態を示すブロック図
【図１３】第２実施形態において、文字情報の使用言語の候補および音声情報の使用言語の候補の表示例を示す画面遷移図
【図１４】コンテンツ閲覧装置の変形例を示す画面遷移図
【図１５】コンテンツの閲覧画面の他の一例および画面遷移例を示す模式図
【図１６】サーバにおける改変コンテンツの管理状態を示す概念図
【発明を実施するための形態】
【００３５】
（第１実施形態）
以下、本発明に係るコンテンツ閲覧装置およびコンテンツ提供システムの第１実施形態について、図１乃至図１１等を参照して説明する。
【００３６】
図１は、本実施形態におけるコンテンツ閲覧装置としての端末１を備えた本実施形態におけるコンテンツ提供システムとしてのコンテンツ配信システム２を示したものである。
【００３７】
図１に示すように、コンテンツ配信システム２は、各ユーザごとの端末１と、これらの端末１との間でのネットワーク（例えば、インターネット等）３を介した双方向通信が可能とされたサーバ５とによって構成されている。
【００３８】
端末１としては、スマートフォンやタブレット端末等の種々の端末を適用するようにしてもよい。
【００３９】
また、図１に示すように、サーバ５は、コンテンツデータサーバ５Ａ、アプリケーションサーバ５Ｂおよびデータベースサーバ５Ｃを備えている。これらのサーバ５Ａ、５Ｂ、５Ｃは、互いに近い場所（例えば、同じ建物内）において有線６や無線を介して相互に通信可能に接続されていてもよく、または、互いに遠隔地において相互に通信可能に接続されていてもよい。
【００４０】
ここで、コンテンツデータサーバ５Ａには、端末１に配信すべきデジタルコンテンツとして、画像情報に複数の使用言語ごとの文字情報および音声情報が対応付けられたコンテンツが格納されている。図２は、このようなコンテンツのコンテンツデータサーバ５Ａにおける管理状態の一例を模式的に示したものである。ただし、本発明は、このような構成に限定される必要はなく、例えば、端末１側の自動翻訳機能によって複数の使用言語を確保できるのであれば、コンテンツデータサーバ５Ａにおいては、所定の単一の使用言語のコンテンツのみを保有するようにしてもよい。また、コンテンツデータサーバ５Ａに格納されるコンテンツには、後述するユーザによる改変後のコンテンツが含まれてもよい。さらに、アプリケーションサーバ５Ｂには、端末１が本発明のコンテンツ閲覧装置として機能するために実行すべきアプリケーションソフトが格納されている。さらにまた、データベースサーバ５Ｃには、コンテンツ利用データ、端末ＩＤ、アクセスログ、パスワード、ユーザ情報、課金情報等の各種のデータが格納されていてもよい。
【００４１】
次に、図３は、図１に示したコンテンツ配信システム２における端末１およびコンテンツデータサーバ５Ａの詳細を示している。
【００４２】
〔端末の詳細〕
まず、端末１について詳述すると、図３に示すように、端末１は、コンテンツ取得手段としてのコンテンツ取得部７を有している。このコンテンツ取得部７は、コンテンツデータサーバ５Ａに格納されるコンテンツを、図３に示す端末側通信部８を介した通信によって、コンテンツデータサーバ５Ａからダウンロードするようになっている。そして、コンテンツ取得部７は、ダウンロードしたコンテンツを、端末側コンテンツ格納部９に格納するようになっている。このようなコンテンツ取得部７によるダウンロードは、ディスプレイ等の表示部１２に不図示のダウンロード用操作画面を表示した上で、このダウンロード用操作画面に対する図３に示す入力操作部１０の操作にしたがって行われるようにしてもよい。この場合に、ダウンロード用操作画面は、コンテンツデータサーバ５Ａから通信によって提供される保有コンテンツのリストを選択可能に表示し、リスト項目の選択操作およびダウンロード決定操作等を受け付けるものであってもよい。また、コンテンツ取得部７は、このコンテンツ取得部７の機能を実現するプログラム（前記アプリケーションソフトの一部）をＣＰＵ等の演算処理装置が実行することによって具現化してもよい。さらに、端末側通信部８は、携帯電話回線や無線ＬＡＮ等を介してネットワーク３に接続する機能を備えた公知の通信モジュールによって具現化してもよい。さらに、端末側コンテンツ格納部９は、端末１に応じた種々の記憶装置（内蔵メモリやＳＤメモリカード等）によって具現化してもよい。さらにまた、入力操作部１０は、キーボード、タッチパネル、音声入力用のマイク等によって具現化してもよい。
【００４３】
また、図３に示すように、端末１は、コンテンツ出力処理部１１を有している。このコンテンツ出力処理部１１は、表示手段として機能し、コンテンツ取得部７による取得後に端末側コンテンツ格納部９に格納されたコンテンツにおける文字情報を、この文字情報に対応する画像情報とともに表示部１２に表示するようになっている。このようなコンテンツ出力処理部１１による文字情報および画像情報の表示は、ダウンロードされたコンテンツを閲覧するための不図示の閲覧用操作画面を表示部１２に表示した上で、この閲覧用操作画面に対する入力操作部１０の操作にしたがって行われるようにしてもよい。この場合に、閲覧用操作画面は、ダウンロードされたコンテンツのリストを選択可能に表示し、リスト項目の選択操作および閲覧決定操作等を受け付けるものであってもよい。また、閲覧用操作画面は、閲覧中のコンテンツのページ上に、同コンテンツの別ページに遷移するための操作ボタンを配置する態様を含んでもよい。なお、コンテンツ出力処理部１１は、文字情報と画像情報との対応関係については、予めコンテンツに含まれている当該対応関係を判断するための情報（例えば、電子書籍の該当ページ番号情報や該当コマ番号情報等）に基づいて判断してもよい。また、コンテンツ出力処理部１１は、このコンテンツ出力処理部１１の機能を実現するプログラム（前記アプリケーションソフトの一部）を演算処理装置が実行することによって具現化してもよい。
【００４４】
さらに、コンテンツ出力処理部１１は、音声出力手段としても機能し、コンテンツにおける文字情報および画像情報の表示とともに、当該コンテンツにおける当該文字情報および画像情報に対応する音声情報を、スピーカ等の音声出力部１４を介して音声出力するようになっている。なお、文字情報および画像情報の表示を閲覧用操作画面の操作にしたがって行ってもよいことは先に述べたが、音声情報の出力は、はじめに文字情報および画像情報の表示画面を表示した上で、同画面上に配置した音声出力用の操作ボタンが入力操作部１０によって操作されたことを契機として行うようにしてもよい。ここで、電子漫画の場合における音声出力用の操作ボタンは、キャラクタに対応付けられた声優ごとに音声出力の有無を選択できるものであってもよく、また、コマごとに音声出力の有無を選択できるものであってもよい。また、電子漫画の場合における１ページ分の音声出力の進行は、予め決められたタイミングでコマ番号順に進行するようにしてもよいし、ユーザによる入力操作部１０を用いたコマ指定操作に応じて進行するようにしてもよい。
【００４５】
そして、上記構成に加えて、更に、本実施形態における端末１は、図３に示すように、記憶手段としての組み合わせ記憶部１５を有している。この組み合わせ記憶部１５には、コンテンツにおける文字情報の使用言語と音声情報の使用言語との組み合わせとして、同言語同士の組み合わせおよび異言語同士の組み合わせが記憶されている。この組み合わせ記憶部１５は、例えば、アプリケーションサーバ５Ｂからの前記アプリケーションソフトのダウンロード時に、端末側コンテンツ格納部９と同一の記憶装置における異なる記憶領域または端末側コンテンツ格納部９と異なる記憶装置に、当該アプリケーションソフトにおける当該組み合わせを示す情報を記憶させることによって具現化してもよい。
【００４６】
また、図３に示すように、端末１は、組み合わせ表示手段としての組み合わせ表示処理部１６を有している。この組み合わせ表示処理部１６は、組み合わせ記憶部１５に記憶されている組み合わせを、コンテンツの表示画面上に選択可能な状態で表示するようになっている。
【００４７】
図４は、このような組み合わせ表示処理部１６による電子漫画の表示画面（例えば、デフォルト表示画面）上への組み合わせの表示例を示したものである。図４においては、同一言語同士および異言語同士の計４つのパターンＰ１〜Ｐ４の組み合わせが、操作ボタンとして入力操作部１０によって選択可能に表示されている。なお、図４において、現在選択（例えば、デフォルト選択）されている組み合わせに該当する操作ボタンを、他の操作ボタンと異なる表示態様（輝度や色相等）で表示してもよい。ただし、本発明は、このような構成に限定されるものではなく、任意の複数の使用言語数（ｎ：２以上の自然数）に応じたパターン数（ｎの自乗）の組み合わせを選択可能に表示すればよい。また、電子漫画の同一ページ内の各コマ同士の間で組み合わせを互いに異ならせることができるように、各コマごとに組み合わせのパターンを個別に表示してもよい。さらに、電子漫画が、キャラクタを識別するための識別情報が付加されたものである場合には、この識別情報に基づいて、図５に示すようなキャラクタごとの使用言語の組み合わせＰ１〜Ｐ４の表示を行って、キャラクタごとに組み合わせが独立して割り当てられるようにしてもよい。さらにまた、使用言語は、日本語、英語といった国別に分類される言語に限る必要はなく、標準語、方言（大阪弁等）といった同国内で分類される言語であってもよい。なお、前述した端末１側の自動翻訳機能によって複数の使用言語を確保する態様としては、同国内で分類される言語を採用してもよい。この場合に、端末１側の自動翻訳機能は、この機能を実現するプログラム（前記アプリケーションソフトの一部）を演算処理装置が実行することによって具現化してもよい。また、自動翻訳にあたっては、サーバ５から提供された標準語／方言変換用の辞書を利用してもよい。この辞書には、音声情報の変換も考慮して、アクセント用の辞書を含ませるようにしてもよい。
【００４８】
図３に戻って、端末１は、制御手段としての制御部１８を有している。この制御部１８は、組み合わせ表示処理部１６によって表示された組み合わせにおける選択された組み合わせに対応した使用言語での文字情報の表示および音声情報の音声出力のための第２の制御を行うようになっている。この第２の制御は、現在の使用言語での表示／音声出力に対する使用言語の変更を指示するための制御となる場合もある。また、制御部１８は、これの機能を実現するプログラム（前記アプリケーションソフトの一部）を演算処理装置が実行することによって具現化してもよい。
【００４９】
ここで、コンテンツ取得部７が、同一画像に対応する全ての使用言語の文字情報および音声情報を一度にダウンロードして端末側コンテンツ格納部９に選択的に読み出し可能に格納するように構成されている場合には、第２の制御は、コンテンツ出力処理部１１に、選択された組み合わせに該当する使用言語の文字情報／音声情報を端末側コンテンツ格納部９から読み出させて表示／音声出力させる動作（すなわち、コンテンツ出力処理部１１の制御）として行われるようにしてもよい。ただし、この場合における第２の制御は、コンテンツデータサーバ５Ａ側に、複数の使用言語ごとの文字情報および音声情報が格納されていることを前提とする。
【００５０】
あるいは、コンテンツ取得部７が、現時点において表示／音声出力すべき組み合わせに該当する使用言語の文字情報／音声情報のみを選択的にダウンロードするように構成されている場合には、第２の制御は、コンテンツ取得部７に、選択された組み合わせに該当する使用言語の文字情報／音声情報をダウンロードさせ、このダウンロードさせた文字情報／音声情報をコンテンツ出力処理部１１に表示／音声出力させる動作（すなわち、コンテンツ取得部７およびコンテンツ出力処理部１１の制御）として行われるようにしてもよい。ただし、この場合における第２の制御も、コンテンツデータサーバ５Ａ側に、複数の使用言語ごとの文字情報および音声情報が格納されていることを前提とする。
【００５１】
もしくは、第２の制御は、端末側コンテンツ格納部９に格納されているコンテンツにおける文字情報および音声情報を、選択された組み合わせにしたがって必要に応じて自動翻訳させた上で表示／音声出力させる動作（コンテンツ出力処理部１１の制御）として行われるようにしてもよい。ただし、この場合における第２の制御は、コンテンツデータサーバ５Ａ側に、オリジナルのコンテンツについて所定の単一の使用言語（例えば、日本語における標準語）の文字情報および音声情報のみが格納されていることが前提となってもよい。
【００５２】
そして、以上のような第２の制御に係る選択された組み合わせが、異言語同士の組み合わせである場合（図４の例では、Ｐ２またはＰ３が選択された場合）には、このような態様における第２の制御は、同一の画像情報に対応する文字情報および音声情報を互いに異なる使用言語で表示および音声出力させるための第１の制御となる。
【００５３】
このような構成によれば、ユーザが、文字情報の使用言語と音声情報の使用言語とが異なるコンテンツを閲覧することができるので、文字情報の使用言語と音声情報の使用言語との組み合わせの選択肢を増やすことができ、ひいては、娯楽性および言語学習などの有用性を向上させることができる。また、文字情報の使用言語と音声情報の使用言語との異言語同士の組み合わせを、この組み合わせを示す表示情報（例えば、図４におけるＰ２、Ｐ３）から選択することによって、文字情報の使用言語と音声情報の使用言語とが異なるコンテンツを簡便かつ迅速に閲覧することができる。
【００５４】
上記構成に加えて、更に、本実施形態における端末１は、図３に示すように、コンテンツ改変手段としてのコンテンツ改変部２０を有している。このコンテンツ改変部２０は、このコンテンツ改変部２０の機能を実現するプログラム（前記アプリケーションソフトの一部）を演算処理装置が実行することによって具現化してもよい。
【００５５】
ここで、コンテンツ改変部２０は、コンテンツにおける改変が許可されている音声情報に対して、ユーザが録音した音声情報および／または予め登録された所定の音声情報（例えば、ユーザが独自かつ適法にダウンロードした電子漫画上の声優以外の声優の音声等）への置換および／または合成による改変を行うようになっている。このような音声情報の改変は、音声編集モード画面を表示部１２に表示した上で、この音声編集モード画面に対する入力操作部１０の操作にしたがって行われるようにしてもよい。電子漫画の場合における音声編集モード画面は、図６に示すように、ユーザの音声の録音開始を指示する「録音」ボタン、ユーザが代替すべき声優に選択設定される「ＯＦＦ」ボタン、ユーザが電子漫画上において共演すべき声優に選択設定される「ＯＮ」ボタン、改変コンテンツを登録する「登録」ボタン等を備えたものであってもよい。また、電子漫画の音声出力が予め決められたタイミングで進行するように構成されている場合には、図６に示すように、音声編集モード画面は、録音開始（すなわち、オリジナルの音声情報の出力開始）からの経過時間と、ユーザが代替すべき声優の音声出力タイミングにおいて台詞が表示される台詞表示欄とを含むものであってもよい。このような音声編集モード画面は、音声情報の改変への移行を指示する画面操作を契機として表示されるようにしてもよい。なお、このようなユーザの音声の録音は、図３に示す音声入力部２１（マイク等であってもよい）を介して行われるようになっている。一方、改変後の音声情報として声優等の登録音声を用いる場合には、コンテンツ改変部２０は、端末１における登録音声の格納部（端末側コンテンツ格納部９であってもよい）から登録音声を読み出して改変に用いるようにすればよい。ここで、図７は、このようなコンテンツ改変部２０による音声情報の改変処理の一例として、電子漫画上の２人のオリジナル声優（声優１、声優２）における声優２に代替して、ユーザの録音音声を声優１の音声と合成する処理を模式的に示している。このようにして改変された音声情報は、改変前の音声情報に対応付けられた状態で端末側コンテンツ格納部９に格納されるようにしてもよい。
【００５６】
また、コンテンツ改変部２０は、コンテンツにおける改変が許可されている文字情報に対して、ユーザが入力した文字情報への置換による改変を行うようになっている。このとき、ユーザによる文字情報の入力は、図３に示す文字入力部２２（タッチパネル等）によって行われるようになっている。ここで、図８は、このようなコンテンツ改変部２０による文字情報の改変作業時の画面遷移例を示している。すなわち、図８（ａ）においては、電子漫画上の台詞用の吹き出し部分ｂが、タッチパネル操作による文字情報の改変指示領域として割り当てられており、この吹き出し部分ｂをタッチ操作すると、図８（ｂ）に示すように、台詞編集ウインドウｗが画面上に表示される。そして、この台詞編集ウインドウｗに台詞が文字キー選択等によって入力されて確定（ＯＫ）されると、入力された台詞が吹き出し部分ｂに設定されることになる。なお、図８（ａ）の画面は、電子漫画の閲覧中のページの中から特定のコマを選択して台詞編集を指示する入力操作がなされた場合に表示される台詞（文字）編集モード画面であってもよい。また、図８（ａ）、（ｂ）の画面は、コンテンツ改変部２０によって表示されるようにしてもよい。さらに、改変後の音声情報の場合と同様に、改変後の文字情報は、改変前の文字情報と対応付けられた状態で端末側コンテンツ格納部９に格納されるようにしてもよい。また、文字情報の改変は、音声情報の改変に連続した作業として行うことができるようにしてもよい。
【００５７】
さらに、コンテンツ改変部２０は、コンテンツにおける改変が許可されている画像情報に対して、ユーザの描画情報および／または予め登録された画像情報への置換および／または合成による改変を行うようになっている。このとき、ユーザによる画像情報の入力は、図３に示す画像入力部２３（タッチパネル等）によって行われるようになっている。ここで、図９は、このようなコンテンツ改変部２０による画像情報の改変作業時の画面遷移例を示している。すなわち、図９（ａ）においては、電子漫画の画面がタッチパネル操作によって選択可能とされており、この画面をタッチ操作すると、図９（ｂ）に示すように、画像編集ツールボックスｔが表示される。そして、この画像編集ツールボックスｔ上のツール（アイコン）をタッチ操作で選択して、コンテンツの画像に対する画像の追加や削除を行うことができる。なお、図９（ａ）の画面は、電子漫画の閲覧中のページの中から特定のコマを選択して画像編集を指示する入力操作がなされた場合に表示される画像編集モード画面であってもよい。また、図９（ａ）、（ｂ）の画面は、コンテンツ改変部２０によって表示されるようにしてもよい。さらに、改変後の音声情報および改変後の文字情報の場合と同様に、改変後の画像情報は、改変前の画像情報と対応付けられた状態で端末側コンテンツ格納部９に格納されるようにしてもよい。
【００５８】
さらにまた、コンテンツ改変部２０は、前述した音声情報、文字情報、画像情報の改変を行う際に、改変が許可されているか否かを、音声情報、文字情報、画像情報ごとに付与されている原作改変の許可の有無を示す原作改変許可情報に基づいて判断するようになっている。この原作改変許可情報は、図１０に示すようなフラグ（「１」が改変許可、「０」が改変禁止）であってもよい。
【００５９】
そして、制御部１８は、コンテンツ改変部２０による音声情報、文字情報または画像情報の改変後のコンテンツの表示／音声出力が行われるように、コンテンツ出力処理部１１を制御するようになっている。この制御は、改変後のコンテンツの表示／音声出力を指示する入力操作部１０の操作を契機として行うようにしてもよい。
【００６０】
このような構成によれば、音声情報、文字情報、画像情報を改変することができるので、ユーザに、閲覧者としての楽しみ方だけでなく、恰も制作者のような楽しみ方も提供することができる。また、原作改変許可情報に基づいて、コンテンツの原作者の著作権を侵害しないような適法な改変を行うことができる。
【００６１】
上記構成に加えて、更に、本実施形態における端末１は、図３に示すように、改変コンテンツ提供手段としての改変コンテンツ提供部２１を有している。この改変コンテンツ提供部２１は、コンテンツ改変部２０による改変後のコンテンツを、端末側コンテンツ格納部９から読み出し、読み出された改変後のコンテンツを端末側通信部８を介してコンテンツデータサーバ５Ａに提供（送信）するようになっている。このような改変後のコンテンツの提供は、これを指示する入力操作部１０の操作を契機として行うようにしてもよい。また、改変後のコンテンツの提供は、コンテンツデータサーバ５Ａ側でオリジナルを保有していることから、コンテンツ中の改変された情報に限定して提供するようにしてもよい。
【００６２】
また、本実施形態において、コンテンツ取得部７は、コンテンツデータサーバ５Ａから、他のユーザの端末によって改変されたコンテンツを選択してダウンロードすることができるようになっている。このダウンロードは、前述したダウンロード用操作画面におけるコンテンツリストに、改変されたコンテンツのリストも含ませるようにして、この改変されたコンテンツのリストを指示する入力操作部１０の操作を契機として行うようにしてもよい。
【００６３】
このような構成によれば、改変後のコンテンツを他のユーザとの間で交換するといった新たな楽しむ方を提供することができる。
【００６４】
なお、コンテンツの閲覧画面の態様は、コンセプトに応じて種々の態様を選択することができる。例えば、図１１に示す閲覧画面は、選択された使用言語の組み合わせの下でのコンテンツの表示画面の欄外に、出力すべき音声情報を選択する操作ボタンとして、コンテンツデータサーバ５Ａから取得されたオリジナルの音声情報または他人による改変後の音声情報をそのまま出力させることを指示する「通常音声」ボタン、本機１のユーザによって改変された音声情報の出力を指示する「ユーザ作成音声」ボタンが選択可能に表示されている。また、図１１の閲覧画面は、本機１のユーザによって改変されたコンテンツが再生されている場合に、このコンテンツのサーバ５への提供を指示する「アップロード」ボタンが選択可能に表示されている。その他、閲覧画面は、プレイリストの表示、他のコンテンツのダウンロード等の各種の動作への移行を指示する操作ボタンが含まれていてもよい。
【００６５】
また、この他にも、例えば、図１５に示すような画面構成を採用してもよい。図１５のＳＴＥＰ１の画面においては、作品のページ閲覧に加えて、音情報の録音、アップロード、再生、削除、ダウンロード等の処理への移行をボタン操作によって指示することができるようになっている。図１５において、音情報の録音は、１ページ内の全ての声優のパートをユーザ音声が代替するように行ってもよいし、一部の声優の音声のみをユーザが代替するように行ってもよい。また、アップロード、ダウンロードも、１ページ全体の音情報に対して行ってもよいし、一部の声優のパートのみを行ってもよい。
【００６６】
ここで、アップロードする場合には、ＳＴＥＰ１の画面において「アップロード」ボタンを押すと、ＳＴＥＰ２に示すように、録音したデータの一覧が表示されるようにしてもよい。ＳＴＥＰ２の画面では、録音したデータを、再生して聞いたり、削除すことができ、再生して、よければ、「アップロード」ボタンを押すことによって、サーバ５にアップロードすることができる。
【００６７】
一方、ダウンロードする場合は、ＳＴＥＰ１の画面において「ダウンロード」ボタンを押すと、ＳＴＥＰ３に示すように、ダウンロードメニューが開かれるようにしてもよい。そして、ＳＴＥＰ３において、メニューから「ダウンロード」を選ぶと、ＳＴＥＰ４に示すように、サーバ５に存在している公開を了解した他のユーザの音情報と自分が録音してアップロードした音情報とが表示されるようにしてもよい。ＳＴＥＰ４の画面においては、「再生」ボタンを押せば、試し聞きができ、「ダウンロード」ボタンを押せば、端末１にサーバ５から音情報をダウンロードすることができる。一方、ＳＴＥＰ３において、メニューから「一覧」を選ぶと、ＳＴＥＰ５に示すように、既にダウンロードされた音情報の一覧が表示されるようにしてもよい。ＳＴＥＰ５の画面においては、「再生」ボタンを押して音情報を再生したり、「削除」ボタンを押して音情報を削除したり、「セット」ボタンを押したりすることができる。「セット」ボタンを押すと、端末の閲覧中のページ（ＳＴＥＰ１の画面）に音情報がセットされ、ＳＴＥＰ１の画面において「再生３」のボタンを押すと、閲覧中のページにおいて、ダウンロードした音情報が再生されることになる。
【００６８】
その他、ＳＴＥＰ１において、「再生１」ボタンを押すと、予め登録された音声が再生されるようにしてもよい。また、「再生２」ボタンを押すと、録音したユーザ音声と「声優１」、「声優２」の音声とがミックスして再生されるようにしてもよい。さらに、「録音リスト」ボタンを操作すると、ＳＴＥＰ６に示すように、録音データの「再生」や「削除」が指定できる録音データ一覧に遷移されるようにしてもよい。
【００６９】
〔コンテンツデータサーバの詳細〕
次に、コンテンツデータサーバ５Ａについて詳述すると、図３に示すように、コンテンツデータサーバ５Ａは、サーバ側通信部３１、コンテンツ提供部３２、改変コンテンツ取得部３３およびサーバ側コンテンツ格納部３４を備えている。
【００７０】
ここで、サーバ側コンテンツ格納部３４には、前述したように、コンテンツデータサーバ５Ａ側で保有されているコンテンツが格納されている。
【００７１】
また、コンテンツ提供部３２は、サーバ側コンテンツ格納部３４に格納されてるコンテンツのリストを端末１側に提供した上で、端末１側でのリストの選択結果（換言すれば、ダウンロード要求）に応じたサーバ側コンテンツ格納部３４内のコンテンツを読み出して、端末１に応答配信するようになっている。このような端末１との間でのデータの授受には、サーバ側通信部３１による通信が利用される。当該通信の相手先の特定には、データベースサーバ５Ｃに格納されている端末ＩＤ等を利用すればよい。
【００７２】
さらに、改変コンテンツ取得部３３は、端末１から提供された改変後のコンテンツを受信して、サーバ側コンテンツ格納部３４に格納するようになっている。
【００７３】
なお、コンテンツデータサーバ５Ａは、図１６に示すように、各ユーザによる改変後のコンテンツを、オリジナルのコンテンツを対応付けた状態で格納してもよい。また、各ユーザごとの改変後のコンテンツには、そのコンテンツの公開の有無（すなわち、公開／非公開）を示す付加情報が各ユーザごとの設定操作によって付加されていてもよい。この場合に、公開を許容するコンテンツは、他のユーザによるダウンロードの対象候補としてリスト表示されることになり、非公開のコンテンツは、該当するユーザだけのバックアップとして機能することになる。また、公開する場合においても、公開のレベルをユーザが設定することができるようにしてもよく、例えば、特定のユーザを指定して、当該ユーザのみがダウンロードできるように設定してもよい。
【００７４】
（第２実施形態）
次に、本発明に係るコンテンツ閲覧装置およびコンテンツ提供システムの第２実施形態について、第１実施形態との差異を中心に、図１２および図１３を参照して説明する。
【００７５】
図１２に示すように、本実施形態における端末１は、文字情報の使用言語の複数の候補と音声情報の使用言語の複数の候補とを入力操作部１０によって独立して選択可能に表示する使用言語候補表示処理部４１を有している。図１３は、このような使用言語候補表示処理部４１による電子漫画の表示画面上への使用言語の候補の表示例を示したものである。すなわち、図１３（ａ）においてｔｅｘｔ欄を選択すると、図１３（ｂ）に示すように、文字情報の使用言語の選択候補がドロップダウンリスト状に表示されるようになっている。一方、図１３（ａ）においてｖｏｉｃｅ欄を選択すると、図１３（ｃ）に示すように、音声情報の使用言語の選択候補がドロップダウンリスト状に表示されるようになっている。このような使用言語候補表示処理部４１は、これの機能を実現するプログラム（前記アプリケーションソフトの一部）を演算処理装置が実行することによって具現化してもよい。
【００７６】
図１２に戻って、本実施形態における端末１は、組み合わせ設定手段としての組み合わせ設定部４２を有している。この組み合わせ設定部４２は、使用言語候補表示処理部４１によって表示された使用言語の候補の中からユーザ操作によって独立して選択された選択結果に基づいて、文字情報の使用言語と音声情報の使用言語との組み合わせを制御部１８に設定するようになっている。この組み合わせ設定部４２は、これの機能を実現するプログラム（前記アプリケーションソフトの一部）を演算処理装置が実行することによって具現化してもよい。
【００７７】
そして、本実施形態において、制御部１８は、組み合わせ設定部４２によって設定された組み合わせに対応した使用言語での文字情報の表示および音声出力のための第３の制御を行うようになっている。
【００７８】
ここで、コンテンツ取得部７が、同一画像に対応する全ての使用言語の文字情報および音声情報を一度にダウンロードして端末側コンテンツ格納部９に選択的に読み出し可能に格納するように構成されている場合には、第３の制御は、コンテンツ出力処理部１１に、設定された組み合わせに該当する使用言語の文字情報／音声情報を端末側コンテンツ格納部９から読み出させて表示／音声出力させる動作（すなわち、コンテンツ出力処理部１１の制御）として行われるようにしてもよい。
【００７９】
あるいは、コンテンツ取得部７が、現時点において表示／音声出力すべき組み合わせに該当する使用言語の文字情報／音声情報のみを選択的にダウンロードするように構成されている場合には、第３の制御は、コンテンツ取得部７に、設定された組み合わせに該当する使用言語の文字情報／音声情報をダウンロードさせ、このダウンロードさせた文字情報／音声情報をコンテンツ出力処理部１１に表示／音声出力させる動作（すなわち、コンテンツ取得部７およびコンテンツ出力処理部１１の制御）として行われるようにしてもよい。
【００８０】
もしくは、第３の制御は、端末側コンテンツ格納部９に格納されているコンテンツにおける文字情報および音声情報を、設定された組み合わせにしたがって必要に応じて自動翻訳させた上で表示／音声出力させる動作（コンテンツ出力処理部１１の制御）として行われるようにしてもよい。
【００８１】
そして、以上のような第３の制御に係る設定された組み合わせが、異言語同士の組み合わせである場合には、このような態様における第３の制御は、同一の画像情報に対応する文字情報および音声情報を互いに異なる使用言語で表示および音声出力するための第１の制御となる。
【００８２】
このような構成によれば、文字情報の使用言語と音声情報の使用言語との異言語同士の組み合わせを、文字情報の使用言語の候補の中および音声情報に使用言語の候補の中から独立して選択することによって、文字情報の使用言語と音声情報の使用言語とが異なるコンテンツを簡便に閲覧することができる。
【００８３】
なお、本発明は、前述した実施の形態に限定されるものではなく、本発明の特徴を損なわない限度において種々変更してもよい。
【００８４】
例えば、図１４に示すように、音声情報の使用言語を日本語に固定した状態でのコンテンツの閲覧画面において、台詞の吹き出し部分ｂがタッチ操作されると、制御部１８の第１の制御により、コンテンツ出力処理部１１によって該当する吹き出し部分ｂに表示されていた日本語の台詞が英語の台詞に切り替わるように構成してもよい。
【００８５】
また、端末１側で改変されたコンテンツは、サーバ５に提供された後に、サーバ５側で、有料でのダウンロード対象として公開してもよい。この場合に、改変されたコンテンツが購買された場合には、改変したユーザおよびオリジナルの制作者の双方の口座に、購入者の口座から電子マネーが支払われるような課金システムを構築してもよい。
【００８６】
さらに、本発明は、絵本や目覚まし時計アプリ（図１６参照）等の電子漫画以外のデジタルコンテンツに適用してもよい。
【００８７】
さらにまた、コンテンツ改変部２０およびコンテンツ提供部２１の動作は、コンテンツの使用言語の切換の有無には拘束されないようにしてもよい。
【００８８】
さらにまた、予め登録されている音情報、ユーザが録音した音情報、サーバからダウンロードした音情報を、端末１においてエフェクト（周波数や再生スピードを変更する、エコーをかける、ロボット的、男性的または女性的に変更する等）できるように構成してもよい。
【００８９】
また、ユーザがお金を払えば、原作改変ができるようにしてもよい。この場合には、例えば、コンテンツの原作者が、原作改変許可情報を不許可に設定して、不許可を許可にするために、ユーザに一定の料金設定をしておき、この料金を支払ったユーザのみ、コンテンツの改変ができるようにしてもよい。
【符号の説明】
【００９０】
１  端末
７  コンテンツ取得部
１１  コンテンツ出力処理部
１８  制御部
【図１】
2014007561.tif 000003
【図２】
2014007561.tif 000004
【図３】
2014007561.tif 000005
【図４】
2014007561.tif 000006
【図５】
2014007561.tif 000007
【図６】
2014007561.tif 000008
【図７】
2014007561.tif 000009
【図８】
2014007561.tif 000010
【図９】
2014007561.tif 000011
【図１０】
2014007561.tif 000012
【図１１】
2014007561.tif 000013
【図１２】
2014007561.tif 000014
【図１３】
2014007561.tif 000015
【図１４】
2014007561.tif 000016
【図１５】
2014007561.tif 000017
【図１６】
2014007561.tif 000018